(57)【要約】【課題】操作性が良く、工具を取り換える際にも取り換え作業を阻害することのない手回し機構付の電動工具を提供する。【解決手段】この電動工具１０は、工具２１の駆動源となるモータ３１と、モータ３１を収納するハウジング１１ａと、ハウジング１１ａから突出するように取り付けられる工具２１と、を備えており、モータ３１の有するモータ軸３２が縦方向を向くように配置されるものである。そして、この電動工具１０では、工具２１の微調整を行うための手回し機構４０が、モータ軸３２の上方の軸端部、又はモータ軸３２の上方とハウジング１１ａとの間に設けられている。【選択図】図５
2013086221.tif 000002
【特許請求の範囲】
【請求項１】
工具の駆動源となるモータと、
前記モータを収納するハウジングと、
前記ハウジングから突出するように取り付けられる工具と、
を備え、
前記モータの有するモータ軸が縦方向を向くように配置される電動工具において、
前記工具の微調整を行うための手回し機構を、前記モータ軸の上方の軸端部、又は前記モータ軸の上方と前記ハウジングとの間に設けたことを特徴とする電動工具。
【請求項２】
請求項１に記載の電動工具において、
前記手回し機構は、
前記モータ軸の上方の軸端部に形成された被係合部と、
下面に前記被係合部と係合可能な係合部を有するとともに、上面に手工具による操作を受けるための手工具嵌合部を有する係合部材と、
前記モータ軸と前記係合部材との間に設置され、前記係合部材が前記モータ軸から離れる方向に弾性力を及ぼす弾性部材と、
を有しており、
前記係合部材が外力を受けないときには、前記弾性部材の弾性力によって、前記モータ軸の前記被係合部と前記係合部材の前記係合部とが離隔しており、
前記係合部材が有する前記手工具嵌合部が手工具から下方への押し込み回転力を受けたときには、前記モータ軸の前記被係合部と前記係合部材の前記係合部とが係合して前記モータ軸を回転し、前記工具の微調整を行うことを特徴とする電動工具。
【請求項３】
請求項２に記載の電動工具において、
前記係合部材が外力を受けないときには、前記係合部材の上面と前記ハウジングとが当接状態にあることを特徴とする電動工具。
【請求項４】
請求項１に記載の電動工具において、
前記手回し機構は、前記モータ軸の上方の軸端部に形成された、手工具による操作を受けるための手工具嵌合部であることを特徴とする電動工具。
【発明の詳細な説明】
【技術分野】
【０００１】
本発明は、電動工具に係り、特に、工具の微調整を行うための手回し機構を備える電動工具に関するものである。
【背景技術】
【０００２】
従来から、工具の微調整を行うための手回し機構を備えた電動工具が知られている。例えば、下記特許文献１には、工具であるブレードに対して異物等が噛み込んでロックした場合に、異物等を除去するために手動でブレードを動かすための手回し機構が設けられた刈込機が開示されている。この刈込機は、ハウジング内に設けられ、且つ偏心回転する一対の偏心カムを少なくとも具備する回転駆動部材と、該回転駆動部材の回転により互いに対向して往復運動する一対のブレードとを備えるものであって、回転駆動部材の端面に、回転駆動部材を回転させるために用いられる手動操作部材が嵌合し得る嵌合部が設けられた構成を備えるものである。そして、特許文献１に記載の技術によれば、装置の分解等の作業を全く行うことなく工具であるブレードの微調整を行うことができるとされている。
【先行技術文献】
【特許文献】
【０００３】
【特許文献１】特開平１１−２４３７７９号公報
【発明の概要】
【発明が解決しようとする課題】
【０００４】
しかしながら、上掲した特許文献１に記載の刈込機は、回転駆動部材を回転させるために用いられる手動操作部材が嵌合し得る嵌合部が、装置本体の底面側に設けられているものなので、作業性が悪いという問題を有していた。また、特許文献１に記載の刈込機では、嵌合部を含む手回し機構が、回転駆動部材であるカムやギヤ等の潤滑油やグリス等が塗布された部材に近い位置である装置本体の底面側に設けられていることから、手動操作部材を嵌合部に対して嵌合させて操作する際に、手動操作部材を挿入するための穴やその他の隙間から潤滑油やグリス等が漏れ出す虞があり、かかる点も作業性を悪化させる要因となっていた。さらに、特許文献１に記載の刈込機では、嵌合部を含む手回し機構がブレードの近傍に設置されていたことから、ブレードの取り換え作業が煩わしいという問題も有していた。
【０００５】
本発明は、上述した問題点に鑑みて成されたものであって、その目的は、操作性が良く、工具を取り換える際にも取り換え作業を阻害することのない手回し機構付の電動工具を提供することにある。
【課題を解決するための手段】
【０００６】
以下、本発明について説明する。なお、本発明の理解を容易にするために添付図面の参照番号を括弧書きにて付記するが、それにより本発明が図示の形態に限定されるものではない。
【０００７】
本発明に係る電動工具（１０）は、工具（２１）の駆動源となるモータ（３１）と、前記モータ（３１）を収納するハウジング（１１ａ）と、前記ハウジング（１１ａ）から突出するように取り付けられる工具（２１）と、を備え、前記モータ（３１）の有するモータ軸（３２）が縦方向を向くように配置される電動工具（１０）であって、前記工具（２１）の微調整を行うための手回し機構（４０）を、前記モータ軸（３２）の上方の軸端部、又は前記モータ軸（３２）の上方と前記ハウジング（１１ａ）との間に設けたことを特徴とする。
【０００８】
また、本発明に係る電動工具（１０）において、前記手回し機構（４０）は、前記モータ軸（３２）の上方の軸端部に形成された被係合部（３２ｂ）と、下面に前記被係合部（３２ｂ）と係合可能な係合部（４２ｂ）を有するとともに、上面に手工具による操作を受けるための手工具嵌合部（４２ａ）を有する係合部材（４２）と、前記モータ軸（３２）と前記係合部材（４２）との間に設置され、前記係合部材（４２）が前記モータ軸（３２）から離れる方向に弾性力を及ぼす弾性部材（４４）と、を有しており、前記係合部材（４２）が外力を受けないときには、前記弾性部材（４４）の弾性力によって、前記モータ軸（３２）の前記被係合部（３２ｂ）と前記係合部材（４２）の前記係合部（４２ｂ）とが離隔しており、前記係合部材（４２）が有する前記手工具嵌合部（４２ａ）が手工具から下方への押し込み回転力を受けたときには、前記モータ軸（３２）の前記被係合部（３２ｂ）と前記係合部材（４２）の前記係合部（４２ｂ）とが係合して前記モータ軸（３２）を回転し、前記工具（２１）の微調整を行うこととすることができる。
【０００９】
さらに、本発明に係る電動工具（１０）は、前記係合部材（４２）が外力を受けないときには、前記係合部材（４２）の上面と前記ハウジング（１１ａ）とが当接状態にあることとすることができる。
【００１０】
また、本発明に係る電動工具（１０）において、前記手回し機構（４０）は、前記モータ軸（３２）の上方の軸端部に形成された、手工具による操作を受けるための手工具嵌合部であることとすることができる。
【発明の効果】
【００１１】
本発明によれば、操作性が良く、工具を取り換える際にも取り換え作業を阻害することのない手回し機構付の電動工具を提供することができる。
【図面の簡単な説明】
【００１２】
【図１】本実施形態に係るヘッジトリマの上面を示す外観図である。
【図２】本実施形態に係るヘッジトリマを右側面側から見た場合の外観図である。
【図３】本実施形態に係るヘッジトリマの縦断面右側面のうちの要部を拡大した図である。
【図４】半割構造で構成されるハウジング（モータハウジング１１ａ及びハンドルハウジング１１ｂ）のうちの右側面側の半割体を取り外した状態での本実施形態に係るヘッジトリマの右側面のうちの要部を拡大した図である。
【図５】図４中のＡ部を拡大した図である。
【図６】図５中のＢ−Ｂ断面を示す図である。
【図７】本発明が取り得る多様な変形例の一つを示した図である。
【発明を実施するための形態】
【００１３】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。さらに、以下で説明する実施形態では、本発明に係る電動工具がヘッジトリマとして構成される場合を例示して説明するが、本発明は、ヘッジトリマ以外の従来公知の各種電動工具に対しても適用可能である。
【００１４】
まず、図１〜図３を用いて、本実施形態に係る電動工具としてのヘッジトリマ１０の構成を説明する。ここで、図１は、本実施形態に係るヘッジトリマの上面を示す外観図であり、図２は、本実施形態に係るヘッジトリマを右側面側から見た場合の外観図である。また、図３は、本実施形態に係るヘッジトリマの縦断面右側面のうちの要部を拡大した図である。
【００１５】
なお、本明細書では、説明の便宜のために、図１及び図２で示すように、ヘッジトリマ１０の方向を「正面・背面・右側面・左側面・上面・底面」と定義して説明を行うこととする。すなわち、図１における紙面右側を「正面」とするとともに、紙面左側を「背面」とし、紙面上側を「左側面」とし、紙面下側を「右側面」としている。また、図２における紙面右側を「正面」とするとともに、紙面左側を「背面」とし、紙面上側を「上面」とし、紙面下側を「底面」としている。
【００１６】
図１〜図３に示すように、本実施形態に係るヘッジトリマ１０は、ハウジング１１と、ハウジング１１の正面側に突出して取り付けられた工具としての刈刃部２１と、を有して構成されている。
【００１７】
ハウジング１１は、刈刃部２１の駆動源となるモータ３１を収納するモータハウジング１１ａと、このモータハウジング１１ａとは別体で構成されるとともにユーザからの把持を受けるハンドル部１２を有するハンドルハウジング１１ｂとが、組み合わされることによって構成されている。モータハウジング１１ａとハンドルハウジング１１ｂとは、ハンドルハウジング１１ｂがモータハウジング１１ａの背面側の一部を覆うようにして接続される関係にあり、また、その接続部には、不図示の防振部材が設置されているので、振動源となるモータ３１や刈刃部２１を備えるモータハウジング１１ａからの振動が、ユーザからの把持を受けるハンドル部１２を有するハンドルハウジング１１ｂに対して伝わることを極力防止できる構造が採られている。
【００１８】
モータハウジング１１ａの内部に設置されたモータ３１は縦向きに配置されているので、このモータ３１が備えるモータ軸３２についても、縦方向を向くように配置されている。また、縦方向を向くモータ軸３２の回転を、刈刃部２１での水平方向の往復直線運動に変換するために、モータ３１の下方位置には、伝動部３３が設置されている。
【００１９】
伝動部３３は、モータ３１が有するモータ軸３２に切られたピニオン歯面３２ａに噛み合う歯車３３ａと、この歯車３３ａの回転を刈刃部２１の往復直線運動に変換するカム装置とを有する。
【００２０】
歯車３３ａは、ピニオン歯面３２ａよりも歯数の多い大歯車であり、その軸穴にはカム装置のカム軸３３ｂがブッシュ３３ｃを介して挿入されている。この歯車３３ａとピニオン歯面３２ａは減速装置として機能し、歯車３３ａはモータ３１のモータ軸３２よりも低速で回転する。
【００２１】
カム装置のカム３３ｄ１，３３ｄ２は、カム軸３３ｂに遊嵌した状態で歯車３３ａの底面に止めピン３４で固定され、歯車３３ａと一体で回転する。このカム３３ｄ１，３３ｄ２は、具体的には円盤カムであり、その中心軸がカム軸３３ｂから偏るように歯車３３ａに固定されている。カム３３ｄ１，３３ｄ２は、後述する二枚の可動ブレード２１ａ，２１ｂに各々対応するように設けられ、互いに１８０度位相がずれるように配置される。また、カム３３ｄ１，３３ｄ２は、可動ブレード２１ａ，２１ｂの枚数に応じて設けられ、例えば可動ブレードが一枚の場合は一枚のカムのみ設けられる。
【００２２】
カム装置のカム軸３３ｂは、歯車３３ａを上方に貫通し、モータ３１のモータ軸３２と平行に並んで配置されている。この平行に並んだ箇所において、カム軸３３ｂは、モータ３１のモータ軸３２とともに軸受部材３５を介してモータハウジング１１ａのリブ等の所定箇所に支持される。
【００２３】
軸受部材３５は、カム軸３３ｂとモータ３１との間に掛け渡される固定部材であり、二つ割りのモータハウジング１１ａにより挟持されることにより、モータハウジング１１ａ内に固定される。軸受部材３５は、一般にアルミニウム合金等の金属で形成されるが、合成樹脂等で形成することもできる。軸受部材３５には、カム軸３３ｂが圧入される軸穴３５ａと、モータ軸３２を軸支するボールベアリング３６と関係する押さえ部３５ｂとが形成されている。このように、モータ軸３２とカム軸３３ｂは、軸受部材３５を介してモータハウジング１１ａ内で一定間隔を保って平行に保持されるので、モータ軸３２のトルクはカム３３ｄ１，３３ｄ２に対して滑らかに伝達されることとなる。
【００２４】
一方、刈刃部２１は、ブレード固定板２２と可動ブレード２１ａ，２１ｂとブレード押え２３とが重なり合った状態で、モータハウジング１１ａの底部から前方に向かって突出するように設置されている。
【００２５】
ブレード固定板２２は、モータハウジング１１ａの底部に固定されており、このブレード固定板２２の上側にスペーサ２４及び固定ネジ２５を介してブレード押え２３が固定される。可動ブレード２１ａ，２１ｂは、ブレード固定板２２とブレード押え２３との間に挿入され、スペーサ２４に刈刃部２１の長さ方向に伸びる長孔を介して接する。可動ブレード２１ａ，２１ｂの後端には、各ブレードの幅方向に伸びる長孔２４ａ，２４ｂが穿設され、各長孔２４ａ，２４ｂにカム装置の各カム３３ｄ１，３３ｄ２が挿入される。カム３３ｄ１，３３ｄ２がカム軸３３ｂを中心にして回転すると、カム３３ｄ１，３３ｄ２と長孔２４ａ，２４ｂとの摺接作用により可動ブレード２１ａ，２１ｂは相互に逆向きの往復直線運動を行う。この往復直線運動をする可動ブレード２１ａ，２１ｂにより、例えば、生け垣の植木等がトリミング可能となる。
【００２６】
なお、刈刃部２１の交換は、モータハウジング１１ａの底部に固定されたブレード固定板２２をモータハウジング１１ａから取り外し、刈刃部２１全体を交換することで行われる。
【００２７】
さらに、本実施形態に係るハンドルハウジング１１ｂには、上述したように、ユーザからの把持を受けるハンドル部１２が形成されているが、このハンドル部１２には、ユーザからの押圧操作を受けることでモータ３１の回転駆動を操作可能なスイッチであるトリガースイッチ１３が設置されている。
【００２８】
このトリガースイッチ１３は、モータ３１への電力のオン／オフを行うためのスイッチ装置１４に接続されている。したがって、トリガースイッチ１３がユーザからの押圧操作を受けると、トリガースイッチ１３がハンドルハウジング１１ｂ内に押し込まれてスイッチ装置１４がオン状態となり、駆動源であるモータ３１への電力供給が行われることとなる。また、押圧操作を中止するとトリガースイッチ１３は元の位置に戻りスイッチ装置１４はオフ状態となり、駆動源であるモータ３１への電力供給が停止されることとなる。なお、スイッチ装置１４には、ロックオンボタン（不図示）が装備されており、トリガースイッチ１３がハンドルハウジング１１ｂ内に押し込まれた状態でユーザがこのロックオンボタンを操作することで、ユーザによるトリガースイッチ１３の押圧操作を中止してもトリガースイッチ１３は元の位置に戻らずスイッチ装置１４のオン状態が維持されるようになっている。なお、ロックオンボタンの操作によりオン状態が維持されている場合は、ユーザが再びトリガースイッチ１３の押圧操作をすると、ロックオンボタンによるオン状態の維持が解除され、さらに押圧操作を中止するとトリガースイッチ１３は元の位置に戻りスイッチ装置１４はオフ状態になるようになっている。
【００２９】
さて、上述した本実施形態に係るヘッジトリマ１０では、刈刃部２１が有する可動ブレード２１ａ，２１ｂの位置の微調整を行うための手回し機構４０が、モータ軸３２の上方とモータハウジング１１ａの内周面との間に設けられている。そこで次に、本実施形態に係るヘッジトリマ１０が備える手回し機構４０について、図４〜図６を参照図面に加えて詳細に説明することとする。ここで、図４は、半割構造で構成されるハウジング（モータハウジング１１ａ及びハンドルハウジング１１ｂ）のうちの右側面側の半割体を取り外した状態での本実施形態に係るヘッジトリマの右側面のうちの要部を拡大した図である。また、図５は、図４中のＡ部を拡大した図であり、図６は、図５中のＢ−Ｂ断面を示す図である。
【００３０】
本実施形態に係る手回し機構４０は、モータ軸３２の上方の軸端部に形成された被係合部３２ｂと、下面に被係合部３２ｂと係合可能な係合部４２ｂを有するとともに、上面に手工具による操作を受けるための手工具嵌合部４２ａを有する係合部材４２と、モータ軸３２と係合部材４２との間に設置され、係合部材４２がモータ軸３２から離れる方向に弾性力を及ぼす弾性部材４４と、を有している。
【００３１】
モータ軸３２の上方の軸端部に形成された被係合部３２ｂは、横断面形状が略小判形をした形状にて形成された軸状の部材である。一方、係合部材４２が有する係合部４２ｂは、モータ軸３２に形成された横断面略小判型をした被係合部３２ｂをちょうど嵌め込むことができるような穴形状として形成されており、穴として形成される係合部４２ｂの内周面の形状が、横断面で見たときに、被係合部３２ｂよりも僅かに内周寸法が大きい略小判型をした穴として形成されている。したがって、係合部材４２が有する係合部４２ｂに対してモータ軸３２の被係合部３２ｂが嵌り込むと、係合部材４２とモータ軸３２は、モータ軸３２の軸中心線を回転中心とした回転方向で、両部材が固定されることとなる。つまり、両部材が嵌め合い状態の場合に回転方向の力が加わると、係合部材４２とモータ軸３２とは一体となって回転運動を行うように構成されている。
【００３２】
また、係合部材４２の上面には、例えばドライバや六角レンチなどといった手工具による操作を受けるための手工具嵌合部４２ａが形成されている。この手工具嵌合部４２ａは、ドライバの先端が嵌り込むための穴であったり、六角レンチの先端が嵌り込むための六角形をした穴として構成されたりする部位である。
【００３３】
さらに、モータ軸３２と係合部材４２との間に設置される弾性部材４４は、コイルばねとして構成される部材であり、常に両部材を引き離す方向に弾性力を及ぼしている。
【００３４】
したがって、係合部材４２が外力を受けていない初期状態のときには、弾性部材４４の弾性力が作用することで、モータ軸３２の被係合部３２ｂと係合部材４２の係合部４２ｂとは、離隔した状態を維持することとなる。またこのとき、弾性部材４４の弾性力を受けた係合部材４２は、上面がモータハウジング１１ａの内周面に対して押し付けられた状態となっている。さらに、係合部材４２がモータハウジング１１ａの内周面に対して押し付けられたとき、係合部材４２に形成された手工具嵌合部４２ａの位置に対応するモータハウジング１１ａの位置には、手工具によって係合部材４２の操作を行うための開口孔１１ａ１が形成されている。
【００３５】
一方、係合部材４２が下向きの外力を受けた場合には、弾性部材４４の弾性力に抗して係合部材４２が下方に移動し、係合部材４２が有する係合部４２ｂとモータ軸３２の被係合部３２ｂとの嵌め合い状態が実現することとなる。より具体的な操作例を説明すると、例えば、ドライバの先端を、開口孔１１ａ１を導通させて手工具嵌合部４２ａに差し込み、係合部材４２に対してドライバから下向きの押し込み回転力を及ぼすとする。すると、係合部材４２が有する係合部４２ｂとモータ軸３２の被係合部３２ｂとが嵌め合い状態となるとともに、この状態からドライバによる回転力が加わるので、係合部材４２とモータ軸３２とは、一体となって回転運動を行うこととなる。
【００３６】
上述のように手回し機構４０が動作すると、モータ軸３２が回転運動を行うこととなるが、モータ軸３２が回転運動すると、上述した伝動部３３が有するカム３３ｄ１，３３ｄ２等の作用によって、刈刃部２１が有する可動ブレード２１ａ，２１ｂが移動するので、可動ブレード２１ａ，２１ｂの位置の微調整を行うことが可能となる。
【００３７】
以上説明したように、本実施形態に係るヘッジトリマ１０では、刈刃部２１が有する可動ブレード２１ａ，２１ｂの位置の微調整を行うための手回し機構４０が、モータ軸３２の上方とモータハウジング１１ａの内周面との間に設けられている。すなわち、本実施形態の手回し機構４０は、ヘッジトリマ１０の上面側から操作することが可能となっている。したがって、本実施形態に係るヘッジトリマ１０は、操作性の非常に高い構成を有している。
【００３８】
また、本実施形態に係る手回し機構４０は、モータハウジング１１ａの内部にコンパクトに収納された構成を有しているので、ヘッジトリマ１０の操作性や持ち運び性等を阻害することが無い。
【００３９】
また、本実施形態に係る手回し機構４０では、係合部材４２を介してモータ軸３２を直接回転させることで、刈刃部２１が有する可動ブレード２１ａ，２１ｂの位置の微調整を行う構成が採用されている。かかる構成は、伝動部３３が有するギヤ比の効果を得ることができるので、スムーズに可動ブレード２１ａ，２１ｂの位置の微調整を行うことができる点で優れている。
【００４０】
また、上述したように、刈刃部２１の交換は、モータハウジング１１ａの底部に固定されたブレード固定板２２をモータハウジング１１ａから取り外し、刈刃部２１全体を交換することで行われることとなるが、本実施形態では、手回し機構４０がヘッジトリマ１０の上面側から操作できるので、手回し機構４０を操作しながら可動ブレード２１ａ，２１ｂの位置を容易に確認できる。したがって、ユーザは、刈刃部２１の交換に際して最も適する位置に可動ブレード２１ａ，２１ｂを位置調整し、その位置で刈刃部２１を交換すればよいので、本実施形態に係るヘッジトリマ１０は、従来は非常に困難を伴った刈刃部２１の交換作業を容易に行うことができるという利点を有している。
【００４１】
なお、本発明構成の用途については、刈刃部２１の交換に用いるのに好適なだけではなく、例えば、可動ブレード２１ａ，２１ｂの使用につれて刃が鈍ったときに、砥石等を用いて可動ブレード２１ａ，２１ｂの刃を研ぎたい場合がある。この場合にも、本実施形態の手回し機構４０を用いることで可動ブレード２１ａ，２１ｂの位置を容易に調整することができるので、ユーザが研ぎ易い位置に可動ブレード２１ａ，２１ｂの位置を調整することが容易にできる。このように、本発明は、ユーザに対して様々なメリットをもたらすことが可能である。
【００４２】
以上、本発明の好適な実施形態について説明したが、本発明の技術的範囲は上記実施形態に記載の範囲には限定されない。上記実施形態には、多様な変更又は改良を加えることが可能である。
【００４３】
すなわち、上述した本実施形態の係合部材４２は、弾性部材４４からの弾性力を受けることによって、その上面が通常状態においてモータハウジング１１ａの内周面に対して押し付けられた状態となっていた。かかる状態によって、モータハウジング１１ａと係合部材４２との間には隙間が生じないので、一般的には、モータハウジング１１ａの開口孔１１ａ１を通じて外部の塵芥等がモータハウジング１１ａの内部に侵入することはほとんどない。しかしながら、例えば、粉塵等が多い使用環境や、水の飛散が多い使用環境等といった、悪環境の場所でヘッジトリマ１０を使用する場合には、例えば、係合部材４２の上面におけるモータハウジング１１ａとの当接箇所に、シール部材を設置することが好ましい。シール部材の設置によって、モータハウジング１１ａの密閉度を高めることができるので、外部環境中に存在する塵芥等がモータハウジング１１ａの内部に対して侵入することを好適に防止することが可能となる。
【００４４】
また、モータハウジング１１ａ内部への塵芥等の侵入を好適に防止する構成については、例えば、図７で示すように、モータハウジング１１ａに対して、手回し機構４０の設置位置近傍を覆うカバー部材７１を設けることができる。ここで、図７は、本発明が取り得る多様な変形例の一つを示した図であり、モータハウジング１１ａに対してカバー部材７１を設けた場合の形態を例示したものである。図７で例示するようなカバー部材７１の設置によっても、モータハウジング１１ａの密閉度を高めることができるので、モータハウジング１１ａ内部への塵芥等の侵入を好適に防止することが可能となる。
【００４５】
なお、図７で示すように、係合部材４２の上部につまみ７２を設けることで、係合部材４２の操作が容易化する。このようなつまみ７２を設ける場合には、モータハウジング１１ａの外部に向かってつまみ７２がむき出しの状態で突出することを避けるため、上述したカバー部材７１と組み合わせて用いることが好適である。
【００４６】
さらに、上述した実施形態に係る手回し機構４０は、駆動源であり回転体となるモータ軸３２を直接操作する構成であるので、例えば、手回し機構４０の操作状態を検知するセンサー部を設けておき、このセンサー部が手回し機構４０の操作状態に応じて指令信号を発することで、モータ３１のオン／オフ制御を行う様にすることも好適である。かかる構成を採用することで、本実施形態に係るヘッジトリマ１０の安全度を高めることができる。なお、センサー部については、例えば、係合部材４２が有する係合部４２ｂとモータ軸３２の被係合部３２ｂとの嵌め合い状態の有無を判断できるセンサー類を設置したり、上で例示したカバー部材７１の開閉状態を判断できるセンサー類を設置したりすることで対応することが可能である。
【００４７】
またさらに、上述した実施形態では、モータ軸３２の上方の軸端部に形成された被係合部３２ｂは、横断面形状が略小判形をした形状にて形成された軸状の部材であり、一方、係合部材４２が有する係合部４２ｂは、モータ軸３２に形成された横断面略小判型をした被係合部３２ｂをちょうど嵌め込むことができるような穴形状として形成されていた。しかしながら、係合部材４２が有する係合部の形状と、モータ軸３２に形成された被係合部の形状については、本実施形態で例示した形状のものには限られない。係合部材４２が有する係合部に対してモータ軸３２の被係合部が嵌り込んだ場合に、係合部材４２とモータ軸３２とが、モータ軸３２の軸中心線を回転中心とした回転方向で確実に固定できる形状であれば、どの様な形状を採用しても構わない。
【００４８】
さらにまた、上述した実施形態では、弾性部材４４としてコイルばねが採用されていたが、本発明に係る弾性部材については、本実施形態で示したコイルばねと同様の作用効果を発揮できるものであれば、どの様な弾性部材を採用してもよい。
【００４９】
また、本発明に係る手回し機構については、上述した実施形態の他に、モータ軸３２の上方の軸端部に直接形成された、手工具による操作を受けるための手工具嵌合部（例えば、ドライバや六角レンチなどといった手工具からの操作を受けるための穴）とすることができる。かかる構成は、モータ軸３２をダイレクトに操作する非常にシンプルな構成であり、部品点数が少なく済むという利点を有している。
【００５０】
その様な変更又は改良を加えた形態も本発明の技術的範囲に含まれ得ることが、特許請求の範囲の記載から明らかである。
【符号の説明】
【００５１】
１０  ヘッジトリマ、１１  ハウジング、１１ａ  モータハウジング、１１ａ１  開口孔、１１ｂ  ハンドルハウジング、１２  ハンドル部、１３  トリガースイッチ、１４  スイッチ装置、２１  刈刃部、２１ａ，２１ｂ  可動ブレード、２２  ブレード固定板、２３  ブレード押え、２４  スペーサ、２４ａ，２４ｂ  長孔、２５  固定ネジ、３１  モータ、３２  モータ軸、３２ａ  ピニオン歯面、３２ｂ  被係合部、３３  伝動部、３３ａ  歯車、３３ｂ  カム軸、３３ｃ  ブッシュ、３３ｄ１，３３ｄ２  カム、３４  止めピン、３５  軸受部材、３５ａ  軸穴、３５ｂ  押さえ部、３６  ボールベアリング、４０  手回し機構、４２  係合部材、４２ａ  手工具嵌合部、４２ｂ  係合部、４４  弾性部材、７１  カバー部材、７２  つまみ。
【図１】
2013086221.tif 000003
【図２】
2013086221.tif 000004
【図３】
2013086221.tif 000005
【図４】
2013086221.tif 000006
【図５】
2013086221.tif 000007
【図６】
2013086221.tif 000008
【図７】
2013086221.tif 000009